(57)【要約】      （修正有）【課題】種々の設定入力操作を簡単かつ誤操作を低減して行える電動リールの提供。【解決手段】魚釣用電動リール１００は、左右の側板２，２間の上部に介在する表示ケース２２を有するリール本体部１を備えている。また、左右の側板２，２に回転自在に配置されたスプール９が回転する駆動力を生成するモータを備えている。さらに、左右の側板２，２間の上部であって表示ケース２２の後方に配置され、モータの出力を調整するための回転操作部材１３と、表示部３２、制御部３５および機能スイッチ３３を有する釣り情報装置３０と、を備えている。表示部３２は、表示ケース２２に設けられ、機能スイッチ３３は、左右の側板２，２の少なくとも一方に設けられている。魚釣用電動リール１００は、機能スイッチ３３の操作および回転操作部材１３の回転操作により、制御部３５に対する入力を行うように構成されている。【選択図】図１
2018130042.tif 000002
【特許請求の範囲】
【請求項１】
左右の側板と、前記左右の側板間の上部に介在する表示ケースと、を有するリール本体部と、
前記左右の側板間に回転自在に配置されたスプールと、
前記スプールが回転する駆動力を生成するモータと、
前記左右の側板間の上部であって前記表示ケースの後方に配置され、前記モータの出力を調整するための回転操作部材と、
表示部、制御部および機能スイッチを有する釣り情報装置と、
を備え、
前記表示部は、前記表示ケースに設けられ、
前記機能スイッチは、前記左右の側板の少なくとも一方に設けられており、
前記機能スイッチの操作および前記回転操作部材の回転操作により、前記制御部に対する入力を行うことを特徴とする魚釣用電動リール。
【請求項２】
前記機能スイッチは、前記側板に形成された凹部内に配置されていることを特徴とする請求項１に記載の魚釣用電動リール。
【請求項３】
前記凹部は、前記左右の側板のうち、ハンドルが設けられた側板とは反対側の側板に設けられていることを特徴とする請求項２に記載の魚釣用電動リール。
【請求項４】
前記側板は、少なくとも側面と上面とを備え、
前記凹部は、前記側面に形成されていることを特徴とする請求項２または請求項３に記載の魚釣用電動リール。
【請求項５】
前記釣り情報装置の制御基板は、前記左右の側板のうち、少なくとも一方に設けられていることを特徴とする請求項１から請求項４に記載の魚釣用電動リール。
【請求項６】
左右の側板と、前記左右の側板間の上部に介在する表示ケースと、を有するリール本体部と、
前記左右の側板間に回転自在に配置されたスプールと、
前記スプールが回転する駆動力を生成するモータと、
前記左右の側板間の上部であって前記表示ケースの後方に配置され、前記モータの出力を調整するための回転操作部材と、
表示部、制御部および機能スイッチを有する釣り情報装置と、
を備え、
前記回転操作部材は、外周が円形の操作面を有し、
前記リール本体を把持した片方の手指で前記回転操作部材と前記機能スイッチとの両操作を可能としたことを特徴とする魚釣用電動リール。
【発明の詳細な説明】
【技術分野】
【０００１】
本発明は、魚釣用電動リールに関する。
【背景技術】
【０００２】
近年、魚釣用電動リールにおいて、片手による操作性向上のため、駆動用モータの出力を調節する回転操作部材をリール本体の左右の側板間の上部に配置したものが知られている。このような魚釣用電動リールによれば、パーミングした状態（釣竿とリール本体と一緒に把持している状態）から親指だけを動かし、親指で回転操作部材を容易に操作できるようになっている。
【０００３】
近年、魚釣用電動リールにおいては、釣糸計測情報や潮汐情報、水中探知情報等、釣りに関する様々な釣り情報を釣り人に知らせるため、表示部を備えた釣り情報装置を一般的に備えている。
例えば、糸長計測情報には、スプールの回転数から、導出される釣糸の繰り出し量や巻き取り量の情報が含まれる。魚釣用電動リールでは、これらの情報に基づいて、釣糸の繰り出しを所定の棚位置で停止させる棚停止位置モードや、予め制御部に記憶させたシャクリ作動パターンに従って仕掛けが自動的にシャクられるようにした自動シャクリ制御モード等、種々の釣りモードの設定が可能となっている。
【０００４】
従来、この種の釣りモードを備えた魚釣用電動リールとして、特許文献１に開示されたものが知られている。特許文献１の魚釣用電動リールでは、リール本体の左右の側板間の上部に略箱形のケース本体が設けられ、その中に釣り情報装置の構成がまとめて格納されていた。ケース本体の上面には、釣りモードの設定や各種の設定を行うための複数の操作スイッチが配置されていた。この魚釣用電動リールでは、操作スイッチにより釣りモードを切り換えた後に、駆動モータ用の出力調節レバーを回動操作することで、動作条件の設定や変更を行うことができる。
【先行技術文献】
【特許文献】
【０００５】
【特許文献１】特許第２８１３６９０号公報
【発明の概要】
【発明が解決しようとする課題】
【０００６】
しかしながら、特許文献１の魚釣用電動リールでは、出力調節レバーを操作する際に、出力調節レバーをつまむ手指がリール本体から離れる状態となるため、操作が不安定になるおそれがあり、これを改善したいという要望があった。
また、実釣時において、一方の手でリール本体を保持しながら他方の手で出力調節レバーを操作することになり、両手を使用する必要があるため、簡易な操作性が求められていた。
また、ケース本体の上面に複数の操作スイッチが配置された構成であるため、誤操作してしまうおそれもあった。特に、悪天候時の船上では、誤操作のリスクが高かった。
【０００７】
本発明は、このような課題を解決するために創作されたものであり、種々の設定入力操作を簡単かつ誤操作を低減して行うことができる魚釣用電動リールを提供することを課題とする。
【課題を解決するための手段】
【０００８】
前記課題を解決するため、本発明の魚釣用電動用リールは、左右の側板と、前記左右の側板間の上部に介在する表示ケースと、を有するリール本体部と、を備えている。魚釣用電動リールは、前記左右の側板間に回転自在に配置されたスプールと、前記スプールが回転する駆動力を生成するモータと、を備えている。さらに、魚釣用電動リールは、前記左右の側板間の上部であって前記表示ケースの後方に配置され、前記モータの出力を調整するための回転操作部材と、表示部、制御部および機能スイッチを有する釣り情報装置と、を備えている。前記表示部は、前記表示ケースに設けられ、前記機能スイッチは、前記左右の側板の少なくとも一方に設けられている。魚釣用電動用リールは、前記機能スイッチの操作および前記回転操作部材の回転操作により、前記制御部に対する入力を行うように構成されている。
【０００９】
本発明の魚釣用電動リールによれば、自動動作等に関する設定を、機能スイッチおよび回転操作部材の操作だけで行うことができるため、魚釣りに関する種々の設定入力操作を簡単かつ誤操作を低減して行うことができる。
また、回転操作部材が左右の側板間の上部であって表示ケースの後方に配置されているので、回転操作部材を操作する際に、リール本体から手指を離さずに操作を行うことができるので、魚釣り操作が安定する。
また、リール本体を保持した片方の手で回転操作部材の操作を行うことも可能であるので、簡易な操作が可能である。
さらに、表示ケースに機能スイッチが配置されていないので、パーミングしている場合に親指が機能スイッチに接触して誤操作する、ということを回避できる。
さらに、表示ケースに機能スイッチが設けられていないことから、比較的大きな表示部を用いることができ、デザイン性向上と見易さ向上も図ることができる。
【００１０】
また、前記した魚釣用電動リールにおいて、前記機能スイッチは、前記側板に形成された凹部内に配置されていることが好ましい。
【００１１】
前記構成によれば、機能スイッチが側板から突出する量を小さく抑えることができ、釣り人が意図せず、機能スイッチに接触することを防止できる。よって、誤操作を防止することができる。
【００１２】
また、前記した魚釣用電動リールにおいて、前記凹部は、前記左右の側板のうち、ハンドルが設けられた側板とは反対側の側板に設けられていることが好ましい。
【００１３】
前記構成によれば、機能スイッチがハンドルに覆われることがないため、機能スイッチを操作し易く、釣果向上を図れる。
【００１４】
また、前記した魚釣用電動リールにおいて、前記側板は、少なくとも側面と上面とを備え、前記凹部は、前記側面に形成されていることが好ましい。
【００１５】
前記構成によれば、釣り人がリール本体をパーミングする場合に親指を側板の上面に載せることができるため、親指が接触し難い側面に機能スイッチが配置されることとなり、誤操作の可能性が低くなる。
また、前記構成によれば、機能スイッチが側板の側面側に配置されるため、実釣り時に魚釣用リールを引っ繰り返した状態で地面等に置いたとしても機能スイッチが誤って押圧されることがなく、誤操作を防止できる。
【００１６】
また、前記した魚釣用電動リールにおいて、前記釣り情報装置の制御基板は、前記左右の側板のうち、少なくとも一方に設けられていることが好ましい。
【００１７】
前記構成によれば、表示ケースに制御基板を設けなくて済むので表示ケースを肉薄にでき、魚釣用電動リールのロープロ化を図ることができる。
【００１８】
また、本発明の魚釣用電動リールは、左右の側板と、前記左右の側板間の上部に介在する表示ケースと、を有するリール本体部と、を備えている。魚釣用電動リールは、前記左右の側板間に回転自在に配置されたスプールと、前記スプールが回転する駆動力を生成するモータと、を備えている。さらに、魚釣用電動リールは、前記左右の側板間の上部であって前記表示ケースの後方に配置され、前記モータの出力を調整するための回転操作部材と、表示部、制御部および機能スイッチを有する釣り情報装置と、を備えている。前記回転操作部材は、外周が円形の操作面を有している。魚釣用電動リールは、前記リール本体を把持した片方の手指で前記回転操作部材と前記機能スイッチとの両操作を可能である。
【００１９】
本発明の魚釣用電動リールによれば、自動動作等に関する設定を、リール本体を把持した片方の手指の操作だけで行うことができるため、魚釣りに関する種々の設定入力操作を簡単かつ誤操作を低減して行うことができる。
また、回転操作部材が左右の側板間の上部であって表示ケースの後方に配置されているので、回転操作部材を操作する際の把持性が向上し、魚釣り操作が安定する。
【発明の効果】
【００２０】
本発明によれば、種々の設定入力操作を簡単かつ誤操作を低減して行うことができる魚釣用電動リールが得られる。
【図面の簡単な説明】
【００２１】
【図１】実施形態の魚釣用電動リールを上方から視た平面図である。
【図２】図１のＡ−Ａ線矢視断面図である。
【図３】パーミングした状態の魚釣用電動リールを右側から視た右側面図である。
【図４】パーミングした状態の魚釣用電動リールを上方から視た平面図である。
【発明を実施するための形態】
【００２２】
以下、本発明の実施形態の魚釣用電動リールについて、図面を参照して説明する。
また、以下の説明において、「前後」「左右」を言うときは、図１に示した方向を基準とし、「上下」を言うときは、図２に示した方向を基準とする。また、同一の要素には同一の符号を用い、重複する説明は省略する。
【００２３】
図１に示すように、本実施形態に係る魚釣用電動リール１００は、左右に離間して配置される左右の側板２，２を有するリール本体１と、左側の側板２に回転自在に支持されるハンドル８と、左右の側板２，２間に配置されたスプール９、モータ１２（図２参照）、並びにジョグダイヤル１３と、釣り情報装置３０と、を備えている。
【００２４】
なお、上記したモータ１２は、スプール９を回転させるための駆動力を生成する電動機である。また、ジョグダイヤル１３は、操作方向の回動量を公知の角度センサ（ポテンションメータ、エンコーダ、非接触のセンサＩＣ等）で検出し、この検出値に基づいてモータ１２の出力をコントロールしたり、後述する表示部としての液晶表示部３２に表示される表示内容を、スプール９の自動動作等に関する条件の入力を行う際に変更したりするための円柱状の操作部材である。ジョグダイヤル１３は、外周が円形の操作面を有している。ジョグダイヤル１３は、条件の設定を行う際に、後述する機能スイッチ３３と併せて操作される。このジョグダイヤル１３は、特許請求の範囲に記載される回転操作部材に相当する。
本実施形態のモータ１２およびジョグダイヤル１３は公知であるため、詳細な説明は省略する。なお、回転操作部材は、回動する構造のものに限られることはなく、順方向やこれとは反対方向となる逆方向に回転可能に設けられたものであってもよい。
【００２５】
リール本体１は、左右方向に延在する２つの支柱３，３（図２参照）と、２つの支柱３，３を左右両側から挟む左右のフレーム４，４と、左右のフレーム４，４のそれぞれの外側に配置される左右のサイドプレート５，５と、左右のフレーム４，４間の前側に配置固定されるケース本体２０と、フロントカバー２４と、を備えている。
なお、側板２は、フレーム４とサイドプレート５とにより構成される。
【００２６】
図２に示すように、支柱３は、左右のフレーム４，４間の下側に配置され、左右方向に延在している。
２つの支柱３，３のそれぞれは、互いに前後方向に離間し、前後方向に延在する竿取付部３ａと一体に形成されている。
特に図示しないが、支柱３の両端には、左右のフレーム４，４を貫通するねじが螺合し、支柱３と左右のフレーム４，４とが一体化されている。なお、本発明において、支柱３と左右のフレーム４，４とが金型で一体成形されたものを用いてもよい。
なお、図３に示すように、竿取付部３ａが釣竿２００のリールシート２０１に取り付けられると、魚釣用電動リール１００は、釣竿２００の上側に配置される。
【００２７】
フレーム４は、上下方向および前後方向に延在する金属板であり、側面視で前後方向に長い楕円形に形成されている。
図２に示すように、左右のフレーム４，４間の空間には、後側から順に、クラッチレバー１０，スプール軸１１、モータケース１２ａ、レベルワインド機構１４が設けられている。
【００２８】
クラッチレバー１０は、後述するクラッチ機構において、動力伝達機構の動力伝達状態と動力遮断状態とを切り換えるための操作レバーであり、作動範囲内で上下方向に移動自在に支持されている。
【００２９】
スプール軸１１の両端は、左右のフレーム４，４に設けられた軸受（不図示）により支持されている。このため、スプール軸１１は、回転自在になっている。
また、スプール軸１１に支持されるスプール９は、略円筒状を呈し釣糸が巻回される糸巻き胴部９ａと、糸巻き胴部９ａの両端に設けられた左右のフランジ部９ｂと、糸巻き胴部９ａの内周面から径方向内側に張り出してスプール軸１１に回り止め嵌合する内筒部９ｃと、を備えている。
また、スプール９は、左右のフレーム４，４間の空間において、前後方向の後寄りに配置されている。このため、左右の側板２，２間に形成される空間において、後側の大部分はスプール９により占有されている。
【００３０】
モータケース１２ａは、モータ１２を収納する円筒状部品である。
モータケース１２ａは、左右のフレーム４，４に一体に形成されている。
また、モータケース１２ａは、左右のフレーム４，４間の空間において、スプール９の前側であって上下方向の下寄りに配置されている。このため、モータケース１２ａの上方には、釣糸が通過可能な空間ＳＰ１が形成されている。
なお、本実施形態において、図２に示すように、モータケース１２ａの上方の空間ＳＰ１は、比較的大きく形成されている。このため、スプール９の糸巻き胴部９ａが小径であっても、モータケース１２ａの上方の空間ＳＰ１に釣糸を通すことができる。
【００３１】
レベルワインド機構１４は、スプール９に巻回される釣糸を均等にするための装置である。レベルワインド機構１４は、公知のように、回転自在に装着された螺軸１４ａと、螺軸１４ａを覆う案内筒１４ｂと、案内筒１４ｂの外周面を摺動する釣糸案内体１５と、を備えている。
釣糸案内体１５には、内部を釣糸が通る環状の案内部１５ａが形成されている。
この案内部１５ａは、モータケース１２ａよりも上方に位置し、スプール９の糸巻き胴部９ａに巻回されている釣糸がモータケース１２ａの上部を通過するようにガイドしている（図２の破線Ａと破線Ｂとの間の領域ＳＰ２を参照）。
よって、左右のフレーム４，４間の空間において、図２の破線Ａと破線Ｂとの間の領域ＳＰ２は、釣糸が通過するための領域として確保されている。
【００３２】
次に、左右のサイドプレート５，５について説明する。
サイドプレート５は、左右方向内側に向って開口する箱状（有底筒状）の部品であり、フレーム４に図示しないねじにより固定され、フレーム４と一体になっている。よって、フレーム４とサイドプレート５とにより構成される側板２は、内部空間を有している。
以下、サイドプレート５において、フレーム４の左右方向の外側に離間し、フレーム４に対向する板状の壁部を対向壁部６と称する。
【００３３】
なお、ハンドル８が設けられている側（左側）の側板２内には、特に図示しないが、ハンドル８の回転操作による駆動力をスプール軸１１に伝達したり、モータ１２により生成された駆動力を減速してスプール軸１１に伝達したりする公知の動力伝達機構と、動力伝達機構の動力伝達状態と動力遮断状態とを切り換える公知のクラッチ機構と、が設けられている。
なお、本発明は、モータ１２により生成された駆動力を減速してスプール軸１１に伝達する公知の減速機構を一方の右側板２内に設けて構成してもよい。
【００３４】
図３に示すように、サイドプレート５においてハンドル８が設けられていない右側の対向壁部６は、側面視でフレーム４と同形状に形成され、前後方向に長く形成されている。
右側のサイドプレート５において、対向壁部６の右面（外面）６ａは、右側の側板２の右側面を構成している。
よって、対向壁部６の右面（外面）６ａの後側は、実釣時に釣り人がパーミングした場合、掌が当てられるようになっている。
【００３５】
対向壁部６の右面（外面）６ａは、対向壁部６の縁部から中心に向って緩やかに右側方に突出しており、丸みを帯びた面となっている。このため、パーミングした場合、掌を右側の側板２の右側面に当てやすく、把持性が向上している。
また、右側のサイドプレート５において、対向壁部６の右面（外面）６ａの中央部には、左側に向って窪む凹部６ｂが形成されている。
なお、上記した凹部６ｂについては後述する。
そのほか、右側のサイドプレート５の前側の下部には、モータ１２に電力を供給するための給電部１６が設けられている。
【００３６】
図３に示すように、ケース本体２０は、略箱状に形成され、左右の側板２，２の上面に載置されて水平かつ前後方向に延在する一対の水平部２１，２１（図１，図４参照）と、一対の水平部２１，２１の前部に連続する表示ケース２２と、を備えている。
なお、ケース本体２０は、図示しないねじにより左右のフレーム４，４の上部に固定されている。
【００３７】
図４に示すように、水平部２１は、前後方向に長く形成されている。水平部２１の上面は、略平面状に形成され、親指を乗せることができる載置面となっている。
また、水平部２１は、平面視でスプール９の側方に位置し、サミングし易くなっている。つまり、釣糸放出時、水平部２１に載せている親指を左右の側板２，２間に進入させて、糸巻き胴部９ａに巻回される釣糸またはフランジ部９ｂに触れる動作を、スムーズに行うことができる。
【００３８】
一対の水平部２１，２１の前部２１ａ，２１ａは、モータ１２の出力の増減調整を行うジョグダイヤル１３の両端を回転自在に支持するダイヤル支持部を構成している。このため、図４に示すように、水平部２１に載せている親指を左方へスライドさせることで、ジョグダイヤル１３を容易に回動操作することができ、操作性向上が図られている。ジョグダイヤル１３は、前記したモータ１２の出力の増減調整を行う機能のほか、後述する船止め設定モード等の自動動作の設定時において船止め停止値等を入力する設定スイッチとしても機能する。
【００３９】
図２に示すように、一対の水平部２１，２１は、ジョグダイヤル１３の外周面の最後端１３ａが、スプール９のフランジ部９ｂの外径の最前端（破線Ｄ１参照）よりも、前方に位置するように支持している。
つまり、一対の水平部２１，２１は、ジョグダイヤル１３がスプール９と上下方向に重なり合わないようにジョグダイヤル１３を支持している。
また、一対の水平部２１，２１は、ジョグダイヤル１３の外周面の最下端１３ｂが、スプール９のフランジ部９ｂの最上端（破線Ｄ２参照）よりも低くなるように支持している。
この結果、ジョグダイヤル１３は、スプール９に接触することなく、左右の側板２，２から上方に突出する量が低減するように低く抑えられている。
なお、左右の側板２，２から上方に突出する量が低減するために、ジョグダイヤル１３を小径とする方法も考えられるが、ジョグダイヤル１３を小径とすると操作性が悪くなるおそれがある。よって、実施形態によれば、大径に形成されたジョグダイヤル１３を用いることができ、魚釣り操作性を好適に確保している。
なお、本実施形態のジョグダイヤル１３は、領域ＳＰ２よりも上方に位置するため、釣糸が接触しないようになっている。
【００４０】
表示ケース２２は、左右の側板２，２間の上部に位置しており、左右方向の中央部に位置しているケースである。
表示ケース２２は、上方に開口する箱状（有底筒状）であり、上方から視て、矩形状を呈している。表示ケース２２内には、後述する液晶表示部３２が格納され、表示ケース２２の開口部２２ａから液晶表示部３２の表示内容が視認可能になっている。
また、表示ケース２２の開口部２２ａは、ガラス等の透明部材２２ｂがシールされて嵌め込まれており、液晶表示部３２の防水が図られている。
【００４１】
フロントカバー２４は、左右のフレーム４，４間の前側に配置されて上下方向に延在し、左右のフレーム４，４の間に海水が侵入することを防止するためのものである。
また、フロントカバー２４には、上方に延びてケース本体２０と連結するための一対の連結部２４ａ，２４ａが形成されており、フロントカバー２４とケース本体２０とが一体的に当接連結されている。
よって、表示ケース２２と、一対の連結部２４ａ，２４ａと、フロントカバー２４とにより囲まれた開口部２５は、釣糸が挿通するための空間となっている。
【００４２】
図１に示すように、釣り情報装置３０は、制御部３５や演算部（不図示）等が実装された制御基板３１と、演算部に演算された情報（例えば、釣糸の繰り出し量や巻き取り量を計測する糸長計測情報）等を表示する液晶表示部３２と、演算部が演算すべき情報を切り替えたり、実行したりする機能スイッチ３３と、を備えている。釣り情報装置３０は、釣糸計測情報のほか、リールの設定に関する情報、スプール９の自動動作等に関する情報、過去の釣行に関する情報、潮汐情報、水中探知情報等、釣りに関する様々な釣り情報を液晶表示部３２に表示可能である。なお、機能スイッチ３３は押釦スイッチである。
また、液晶表示部３２および機能スイッチ３３は、配線を介して制御基板３１と電気的に接続している。
なお、図面では、液晶表示部３２と制御基板３１とを接続する配線Ｒ（図３参照）を図示し、機能スイッチ３３と制御基板３１とを接続する配線の図を省略している。
【００４３】
液晶表示部３２は、表示ケース２２に格納され、魚釣用電動リール１００の左右方向の中央部に位置している。このため、釣り人は、液晶表示部３２の表示内容を視認し易くなっている。
また、機能スイッチ３３および制御基板３１は、ハンドル８が設けられていない右側の側板２に配設および収容されており、表示ケース２２に収容されず、液晶表示部３２と分離配置されている。
このため、表示ケース２２は、液晶表示部３２のみを収容できる大きさに形成されており、機能スイッチ３３や制御基板３１を配設、収容する従来の表示ケースよりも上下方向に肉薄化されている。
【００４４】
また、機能スイッチ３３は、側板２に形成された凹部６ｂ内に配置されている。このため、機能スイッチ３３が側板２から突出する量が抑えられ、釣り人が意図せず機能スイッチに手指を接触すること、つまり、誤操作することが抑制される。
なお、図１に示すように、凹部６ｂの窪み量は、機能スイッチ３３の突出量よりも大きく、機能スイッチ３３が右側面６ａよりも右側に突出しないように配置することが誤操作防止および握持保持性向上の面より好ましい。
【００４５】
また、機能スイッチ３３は、左右の側板２，２のうち、ハンドル８が設けられていない右側の側板２内に設けられている。このため、機能スイッチ３３はハンドル８に覆われることがなく、操作性が向上している。なお、左側の側板２内に機能スイッチ３３を設けてもよい。
【００４６】
ここで、凹部６ｂは、右側の側板２において側方を向く右側面６ａに形成されている。
よって、機能スイッチ３３は、図３、図４に示すように、例えば、ハンドル８が設けられていない側（右側）の側板２の上面に載せられる親指から離間し、誤操作を確実に防止できる。
また、図３に示すように、凹部６ｂは、右側面６ａの中央部に形成されており、パーミングしている右手の掌が当たらない部位に形成されている。このため、誤操作をより確実に防止できる。
【００４７】
次に、魚釣用電動リール１００の釣り情報装置３０における基本情報の表示手順や船止め設定等の自動動作条件の設定手順の一例について説明する。
本実施形態の釣り情報装置３０は、機能スイッチ３３およびジョグダイヤル１３の二つの操作部材の操作によって、各種の実用モードの条件の選択、決定を簡単かつ効率的に行えるようになっている。
【００４８】
本実施形態では、図３に示すように、電源コードのコネクタ５０やポータブルバッテリー等の図示しないコネクタを給電部１６に接続することで、釣り情報装置３０が起動し、液晶表示部３２が糸長計測表示モード（通常表示モード）になる。
釣り情報装置３０の制御部３５は、各モードにおける機能スイッチ３３およびジョグダイヤル１３の操作に関し、次のように機能、実行されるように設定されている。
【００４９】
機能スイッチ３３を１回短押しすると、液晶表示部３２内に表示された表示値を０（ゼロ）表示にするリセット機能を有する。
次に、機能スイッチ３３を２秒長押しすると、各種のモード設定に移行し、液晶表示部３２内に各種の「設定モードメニュー」が複数表示される。
設定モードメニューは、例えば、「棚位置停止モード」（クラッチＯＦＦ後、所定量繰り出しでモータ１２を駆動してクラッチＯＮし、釣り糸の繰り出しを停止する）、「シャクリ動作モード」（所定量巻き取りと所定時間停止とを繰り返す）を備えている。また、設定モードメニューは、「船縁停止モード」（自動巻き上げに伴う竿先保護のために釣り糸の所定繰り出し位置でモータ１２を停止する）、「アラーム設定モード」（釣り糸繰り出し停止後、所定時間経過後にアラームで待機時間を報知する）、「糸長計測表示モード」（通常表示モード）等を備えいる。各種の設定モードメニューは、液晶表示部３２内に表示される。
【００５０】
一例について説明すると、例えば、「設定モードメニュー」から、機能スイッチ３３を押すと、順次、設定可能なモードが点滅し、「棚位置停止モード」を選択して機能スイッチ３３を２回短押しすると、「棚位置停止モード」が決定されて液晶表示部３２内に１０メートルの初期値が表示される。また、これとともに棚停止の文字が点滅し、ジョグダイヤル１３を前方に回動させるとカウントアップ（１０、１１、１２、・・・）し、ジョグダイヤル１３を後方に回動させるとカウントダウン（３０、２９．２８、・・・）する。
所望の棚停止位置、例えば３０メートルで機能スイッチ３３を１回短押しすると、設定値が制御部３５に記憶されて、通常の「糸長計測表示モード」に切り換わり、液晶表示部３２内に設定値３０Ｍが表示される。
【００５１】
このように、リール本体１に配置した機能スイッチ３３と、前後方向に回動操作される外周に円形の操作面を有するジョグダイヤル１３とを併用操作することで、各種実用モードの条件設定の入力操作が可能となる。したがって、リール本体１を把持する片方の手指の移動操作によって簡単かつ効率的に入力操作を行うことができる。
また、機能スイッチ３３を表示ケース２２ではなく、左右側板のいずれか一方に配置することで、魚釣り操作時におけるパーミングの際に接触して誤操作することを回避できる。
【００５２】
以上、実施形態によれば、自動動作等に関する設定を、機能スイッチ３３およびジョグダイヤル１３の操作だけで行うことができるため、種々の設定入力操作を簡単かつ誤操作を低減して行うことができる。
また、ジョグダイヤル１３が左右の側板２，２間の上部であって表示ケース２２の後方に配置されているので、ジョグダイヤル１３を操作する際に、リール本体１から手指を離さずに操作を行うことができるので、魚釣り操作が安定する。
【００５３】
また、リール本体１を保持した片方の手でジョグダイヤル１３の操作を行うことも可能であるので、簡易な操作が可能である。
さらに、表示ケース２２に機能スイッチ３３が配置されていないので、パーミングしている場合に親指が機能スイッチ３３に接触して誤操作する、ということを回避できる。
また、表示ケース２２に機能スイッチ３３が設けられていないことから、比較的大きな液晶表示部３２を用いることができ、デザイン性向上と見易さ向上も図ることができる。
【００５４】
また、機能スイッチ３３は、側板２の凹部６ｂ内に配置されているので、機能スイッチ３３が側板２から突出する量を小さく抑えることができる。したがって、釣り人が意図せず、機能スイッチ３３に接触することを防止できる。よって、誤操作を防止することができる。
【００５５】
また、凹部６ｂは、左右の側板２，２のうち、ハンドル８が設けられた左側の側板２とは反対側となる右側の側板２に設けられているので、機能スイッチ３３がハンドル８に覆われることがない。したがって、機能スイッチ３３を操作し易く、釣果向上を図れる。
【００５６】
また、釣り人がリール本体１をパーミングする場合に親指を側板２の上面となる水平部２１に載せることができるため、親指が接触し難い側面２に機能スイッチ３３が配置されることとなり、誤操作の可能性が低くなる。
また、機能スイッチ３３が側板２の側面側に配置されるため、実釣り時に魚釣用電動リール１００を引っ繰り返した状態で地面等に置いたとしても機能スイッチ３３が誤って押圧されることがなく、誤操作を防止できる。
【００５７】
また、制御基板３１は、側板２に設けられており、表示ケース２２に制御基板３１を設けなくて済むので表示ケース２２を肉薄にでき、魚釣用電動リール１００のロープロ化を図ることができる。
なお、パーミング時に邪魔にならず、支障を生じない領域において、リール本体１の上部に機能スイッチ３３を配設して、ジョグダイヤル１３との併用操作を、リール本体１を把持した片方の手指で可能としてもよい。
【００５８】
以上、実施形態について説明したが、本発明は実施形態で説明した例に限定されない。
例えば、実施形態における長押し操作において、長押し操作の時間経過とともに、表示されるモードが順次変化して液晶表示部３２に表示されるように構成してもよい。
【００５９】
また、ジョグダイヤル（回転操作部材）１３を低く抑える場合、ジョグダイヤル１３の配置する位置は、実施形態の例に限定されない。
詳細に説明すると、スプール９の外形は軸方向から視て円形を成し、スプール９の回転軸から前方に向うほど、スプール９の占有空間の高さが次第に低くなる。つまり、スプール９に干渉することなくジョグダイヤル１３を配置できるスペースが下方に次第に拡大している。
よって、少なくともジョグダイヤル１３の中心軸Ｏ１がスプール９の糸巻き胴部９ａの最前端（図２の破線Ｄ３参照）よりも前方に位置するように配置すれば、従来よりもジョグダイヤル１３の位置を低くでき、魚釣用電動リール１００のロープロ化を図ることができる。
このため、実施形態において、ジョグダイヤル１３の外周面の最後端１３ａを、スプール９のフランジ部９ｂの外径の最前端（図２の破線Ｄ１参照）よりも、前方に配置されているが、本発明はこれに限定されるものではない。
【００６０】
また、本実施形態の魚釣用電動リール１００は、ジョグダイヤル（回転操作部材）１３と表示ケース２２との両方を低く抑えているが、本発明は、ジョグダイヤル（回転操作部材）１３と表示ケース２２とのいずれか一方を低く抑えるように構成されていてもよい。
たとえば、ジョグダイヤル（回転操作部材）１３のみを低く抑える場合には、表示ケース２２に、制御基板３１や機能スイッチ３３を格納してもよい。
【００６１】
また、ジョグダイヤル１３は、ケース本体２０の一対の水平部２１，２１に形成された一対の前部２１ａ，２１ａに回動可能に支持され、ケース本体２０とユニット化されているが、前記したジョグダイヤル１３の回転中心軸Ｏ１と糸巻き胴部９ａとの位置関係を構成できれば、左右の側板２，２に形成された支持部にジョグダイヤル１３を回動可能に支持させてもよい。
【００６２】
また、ジョグダイヤル１３の形状は、軸方向に短い円盤状でもよいし、軸方向に長い円筒状でもよい。
さらに、また、外周が円形の操作面を有していればよく、操作部以外が非円形、多角形等であってもよい。
【００６３】
また、実施形態のリール本体１は、凹部６ｂを形成し、その凹部６ｂ内に機能スイッチ３３を配置しているが、本発明は凹部６ｂが形成されていないリール本体１であってもよい。
【００６４】
なお、機能スイッチ３３は、押釦式で説明したが、これに限られることはなく、スライド式や回転式にして実行操作できるように構成してもよい。
また、機能スイッチ３３は、単一のものに限らず、複数設けて操作に支障のないように配置してもよい。
さらに、また、機能スイッチ３３の形状は、円形、非円形、多角形等、特に限定されない。
【００６５】
また、実施形態の凹部６ｂおよび機能スイッチ３３は、ハンドル８が設けられていない右側の側板２の側面６ａ以外に上面に設けられてもよいし、または、ハンドル８が設けられた左側の側板２の側面または上面に設けてもよい。さらには、機能スイッチ３３は、左右の側板２，２に設けられていればよく、左右の側板２，２の上面に載置されるケース本体２０の水平部２１，２１に設けて液晶表示部３２と離間配置してもよい。
【００６６】
また、本実施形態では、図２に示すように、レベルワインド機構１４がモータ１２よりも前側に配置されているが、スプール９とモータ１２との間に配置されてもよい。
【符号の説明】
【００６７】
１      リール本体
２      側板
６ｂ    凹部
８      ハンドル
９      スプール
１２    モータ
１３    ジョグダイヤル（回転操作部材）
２１    水平部（延出部）
２２    表示ケース
３０    釣り情報装置
３１    制御基板
３２    液晶表示部（表示部）
３３    機能スイッチ
３５    制御部
３６    記憶部
１００  魚釣用電動リール
【図１】
2018130042.tif 000003
【図２】
2018130042.tif 000004
【図３】
2018130042.tif 000005
【図４】
2018130042.tif 000006